(57)【要約】【課題】従来の液晶テレビに比べて、より狭いスペースで、パネルモジュールの固定構造及びワイヤ保持構造を共存させることができ、映像表示装置の狭額縁化を図りつつ、多機能化により増大したワイヤを保持することができる映像表示装置を提供する。【解決手段】前側に表示面１１ａを有するパネルモジュール１と、パネルモジュール１の周縁部を取り囲むフロントキャビネット２と、パネルモジュール１の後側を覆うバックキャビネット３と、パネルモジュール１の周縁で引き回されているワイヤ８ａを保持するワイヤホルダ４とを備えた映像表示装置に、ワイヤホルダ４が取り付けられる孔部２４ｄを有し、フロントキャビネット２の内面からバックキャビネット３側へ突出してパネルモジュール１に掛止する可撓性爪部２４を備える。【選択図】図２
2012226312.tif 000002
【特許請求の範囲】
【請求項１】
前側に表示面を有するパネルモジュールと、該パネルモジュールの周縁部を取り囲むフロントキャビネットと、前記パネルモジュールの後側を覆うバックキャビネットと、前記パネルモジュールの周縁で引き回されているワイヤを保持するワイヤホルダとを備えた映像表示装置において、
前記ワイヤホルダが取り付けられる取付部を有し、前記フロントキャビネットの内面から前記バックキャビネット側へ突出して前記パネルモジュールに掛止する掛止部を備える
ことを特徴とする映像表示装置。
【請求項２】
前記掛止部は、前記フロントキャビネットの内面から前記バックキャビネット側へ突出した可撓性の板状の基部と、該基部の先端に形成された鈎部とを有し、
前記取付部は、前記基部に形成された孔部である
ことを特徴とする請求項１に記載の映像表示装置。
【請求項３】
前記鈎部は、
前記基部の両側に形成され、前記パネルモジュールに掛止する面積が大きい第１鉤部分と、
前記パネルモジュールに掛止する面積が小さい第２鉤部分と
を有することを特徴とする請求項２に記載の映像表示装置。
【請求項４】
前記ワイヤホルダは、前記取付部の孔部に挿入される軸部及び該軸部に比べて大寸法の板部を有し、前記取付部に挿嵌される挿嵌部を備え、
前記基部は、
前記取付部に前記ワイヤホルダが挿嵌された状態で前記板部及び前記基部が略面一になるように形成されている
ことを特徴とする請求項２又は請求項３に記載の映像表示装置。
【請求項５】
前側に表示面を有するパネルモジュールと、該パネルモジュールの周縁部を取り囲むフロントキャビネットと、前記パネルモジュールの後側を覆うバックキャビネットと、前記パネルモジュールの周縁で引き回されているワイヤを保持するワイヤホルダとを備えた映像表示装置において、
前記フロントキャビネットの内面から前記バックキャビネット側へ突出して前記パネルモジュールに掛止する掛止部を備え、
前記ワイヤホルダは前記掛止部に一体形成されている
ことを特徴とする映像表示装置。
【請求項６】
前記掛止部は、前記フロントキャビネットの内面から前記バックキャビネット側へ突出した可撓性の板状の基部と、該基部の一面の先端に形成された鈎部とを有し、
前記ワイヤホルダは、
前記基部の他面に形成された突起部と、
該突起部から前記基部の他面に対向するように前記バックキャビネット側へ突出したワイヤ保持爪と
を備えることを特徴とする請求項５に記載の映像表示装置。
【請求項７】
前記鈎部は、
前記基部の両側に形成され、前記パネルモジュールに掛止する面積が大きい第１鉤部分と、
前記パネルモジュールに掛止する面積が小さい第２鉤部分と
前記ワイヤ保持爪に対向する箇所に形成された孔部と
を有することを特徴とする請求項６に記載の映像表示装置。
【請求項８】
前記基部の他面から前記ワイヤ保持爪側へ突出し、ワイヤを補助的に保持する補助爪を備える
ことを特徴とする請求項６又は請求項７に記載の映像表示装置。
【請求項９】
請求項１から請求項８のいずれか一つに記載の映像表示装置と、
映像信号を受信する受信部と
を備え、
前記映像表示装置は、
前記受信部が受信した映像信号にて映像を表示するようにしてある
ことを特徴とするテレビ受像機。
【請求項１０】
前側に表示面を有するパネルモジュールの周縁部を取り囲むフロントキャビネットと、該パネルモジュールの後側を覆うバックキャビネットとを備えたキャビネットにおいて、
前記パネルモジュールの周縁で引き回されているワイヤを保持するワイヤホルダが取り付けられる取付部を有し、前記フロントキャビネットの内面から前記バックキャビネット側へ突出して前記パネルモジュールに掛止する掛止部を備える
ことを特徴とするキャビネット。
【請求項１１】
前記掛止部は、前記フロントキャビネットの内面から前記バックキャビネット側へ突出した可撓性の板状の基部と、該基部の先端に形成された鈎部とを有し、
前記取付部は、前記基部に形成された孔部である
ことを特徴とする請求項１０に記載のキャビネット。
【請求項１２】
前記鈎部は、
前記基部の両側に形成され、前記パネルモジュールに掛止する面積が大きい第１鉤部分と、
前記パネルモジュールに掛止する面積が小さい第２鉤部分と
を有することを特徴とする請求項１１に記載のキャビネット。
【請求項１３】
前側に表示面を有するパネルモジュールと、該パネルモジュールの周縁部を取り囲むフロントキャビネットと、前記パネルモジュールの後側を覆うバックキャビネットと、前記パネルモジュールの周縁で引き回されているワイヤを保持するワイヤホルダとを備えたキャビネットにおいて、
前記フロントキャビネットの内面から前記バックキャビネット側へ突出して前記パネルモジュールに掛止する掛止部を備え、
前記ワイヤホルダは前記掛止部に一体形成されている
ことを特徴とするキャビネット。
【請求項１４】
前記掛止部は、前記フロントキャビネットの内面から前記バックキャビネット側へ突出した可撓性の板状の基部と、該基部の一面の先端に形成された鈎部とを有し、
前記ワイヤホルダは、
前記基部の他面に形成された突起部と、
該突起部から前記基部の他面に対向するように前記バックキャビネット側へ突出したワイヤ保持爪と
を備えることを特徴とする請求項１３に記載のキャビネット。
【請求項１５】
前記鈎部は、
前記基部の両側に形成され、前記パネルモジュールに掛止する面積が大きい第１鉤部分と、
前記パネルモジュールに掛止する面積が小さい第２鉤部分と、
前記ワイヤ保持爪に対向する箇所に形成された孔部と
を有することを特徴とする請求項１４に記載のキャビネット。
【請求項１６】
前記基部の他面から前記ワイヤ保持爪側へ突出し、ワイヤを補助的に保持する補助爪を備える
ことを特徴とする請求項１４又は請求項１５に記載のキャビネット。
【請求項１７】
請求項１２又は請求項１６に記載のフロントキャビネットを、前記掛止部の前記基部から前記鈎部が突出している側の面及び孔部を成形する第１金型と、他の部分を成形する第２金型とを有する射出成形用金型を用いて成形するフロントキャビネット成形方法であって、
前記射出成形用金型から前記掛止部を離型する際、成形された掛止部から離型した前記第１金型の前記孔部に対応する凸部が前記第２鉤部分に掛からない位置まで、前記第１金型を移動させ、
分離した第１金型及び第２金型の隙間から前記掛止部を引き落とす
ことを特徴とするフロントキャビネット成形方法。
【発明の詳細な説明】
【技術分野】
【０００１】
本発明は、前側に表示面を有するパネルモジュールと、該パネルモジュールの周縁部を取り囲むフロントキャビネットと、前記パネルモジュールの後側を覆うバックキャビネットと、前記パネルモジュールの周縁で引き回されているワイヤを保持するワイヤホルダとを備えた映像表示装置、テレビ受像機、該映像表示装置を構成するキャビネット、及びフロントキャビネット成形方法に関する。
【背景技術】
【０００２】
テレビ受像機等の映像表示装置は、映像を表示する表示面を前側に有するパネルモジュールと、該パネルモジュールの周縁部を取り囲むフロントキャビネットと、前記パネルモジュールの後側を覆うバックキャビネットとを備えている。
【０００３】
近年、液晶テレビの狭額縁化及び薄型化が進んでおり、パネルモジュールと、フロントキャビネットとを固定するための構造及び金具を配するスペースが減少している。これに伴い、狭いスペースでパネルモジュールと、フロントキャビネットとを固定する方法が種々提案されている。例えば、特許文献１には、フロントキャビネットの外周部から後側へ突出した複数の可撓性の爪フックを備え、該爪フックによってフロントキャビネットをパネルモジュールに固定する液晶テレビが開示されている。
【０００４】
一方、液晶テレビの持つ機能が増加したことにより、額縁部分に引き回されているワイヤは増加傾向にある。例えば、ＷｉＦｉアンテナ用ワイヤ、３Ｄ映像の同期信号を出力するＩＲ送信機用のワイヤが、パネルモジュールの周縁に引き回されている。これらのワイヤはワイヤホルダによって保持され、所定箇所に固定されている。
【先行技術文献】
【特許文献】
【０００５】
【特許文献１】特開２００９−４２５３７号公報
【発明の概要】
【発明が解決しようとする課題】
【０００６】
このように、キャビネットの狭額縁化及び液晶テレビの多機能化が進むにつれ、狭いスペースに、パネルモジュールの固定構造と、ワイヤ保持構造とを共存させる工夫が求められている。
【０００７】
本発明は斯かる事情に鑑みてなされたものであり、その目的は、パネルモジュール固定用の掛止部に、該パネルモジュールの周縁に引き回されているワイヤを保持するワイヤホルダを取り付ける取付部を備えることにより、従来の液晶テレビに比べて、より狭いスペースで、パネルモジュールの固定構造及びワイヤ保持構造を共存させることができ、映像表示装置の狭額縁化を図りつつ、多機能化により増大したワイヤを保持することができる映像表示装置、テレビ受像機、キャビネット及びフロントキャビネット成形方法を提供することを目的とする。
【課題を解決するための手段】
【０００８】
本発明に係る映像表示装置は、前側に表示面を有するパネルモジュールと、該パネルモジュールの周縁部を取り囲むフロントキャビネットと、前記パネルモジュールの後側を覆うバックキャビネットと、前記パネルモジュールの周縁で引き回されているワイヤを保持するワイヤホルダとを備えた映像表示装置において、前記ワイヤホルダが取り付けられる取付部を有し、前記フロントキャビネットの内面から前記バックキャビネット側へ突出して前記パネルモジュールに掛止する掛止部を備えることを特徴とする。
【０００９】
本発明に係る映像表示装置は、前記掛止部は、前記フロントキャビネットの内面から前記バックキャビネット側へ突出した可撓性の板状の基部と、該基部の先端に形成された鈎部とを有し、前記取付部は、前記基部に形成された孔部であることを特徴とする。
【００１０】
本発明に係る映像表示装置は、前記鈎部は、前記基部の両側に形成され、前記パネルモジュールに掛止する面積が大きい第１鉤部分と、前記パネルモジュールに掛止する面積が小さい第２鉤部分とを有することを特徴とする。
【００１１】
本発明に係る映像表示装置は、前記ワイヤホルダは、前記取付部の孔部に挿入される軸部及び該軸部に比べて大寸法の板部を有し、前記取付部に挿嵌される挿嵌部を備え、前記基部は、前記取付部に前記ワイヤホルダが挿嵌された状態で前記板部及び前記基部が略面一になるように形成されていることを特徴とする。
【００１２】
本発明に係る映像表示装置は、前側に表示面を有するパネルモジュールと、該パネルモジュールの周縁部を取り囲むフロントキャビネットと、前記パネルモジュールの後側を覆うバックキャビネットと、前記パネルモジュールの周縁で引き回されているワイヤを保持するワイヤホルダとを備えた映像表示装置において、前記フロントキャビネットの内面から前記バックキャビネット側へ突出して前記パネルモジュールに掛止する掛止部を備え、前記ワイヤホルダは前記掛止部に一体形成されていることを特徴とする。
【００１３】
本発明に係る映像表示装置は、前記掛止部は、前記フロントキャビネットの内面から前記バックキャビネット側へ突出した可撓性の板状の基部と、該基部の一面の先端に形成された鈎部とを有し、前記ワイヤホルダは、前記基部の他面に形成された突起部と、該突起部から前記基部の他面に対向するように前記バックキャビネット側へ突出したワイヤ保持爪とを備えることを特徴とする。
【００１４】
本発明に係る映像表示装置は、前記鈎部は、前記基部の両側に形成され、前記パネルモジュールに掛止する面積が大きい第１鉤部分と、前記パネルモジュールに掛止する面積が小さい第２鉤部分と、前記ワイヤ保持爪に対向する箇所に形成された孔部とを有することを特徴とする。
【００１５】
本発明に係る映像表示装置は、前記基部の他面から前記ワイヤ保持爪側へ突出し、ワイヤを補助的に保持する補助爪を備えることを特徴とする。
【００１６】
本発明に係るテレビ受像機は、上述のいずれか一つの映像表示装置と、映像信号を受信する受信部とを備え、前記映像表示装置は、前記受信部が受信した映像信号にて映像を表示するようにしてあることを特徴とする。
【００１７】
本発明に係るキャビネットは、前側に表示面を有するパネルモジュールの周縁部を取り囲むフロントキャビネットと、該パネルモジュールの後側を覆うバックキャビネットとを備えたキャビネットにおいて、前記パネルモジュールの周縁で引き回されているワイヤを保持するワイヤホルダが取り付けられる取付部を有し、前記フロントキャビネットの内面から前記バックキャビネット側へ突出して前記パネルモジュールに掛止する掛止部を備えることを特徴とする。
【００１８】
本発明に係るキャビネットは、前記掛止部は、前記フロントキャビネットの内面から前記バックキャビネット側へ突出した可撓性の板状の基部と、該基部の先端に形成された鈎部とを有し、前記取付部は、前記基部に形成された孔部であることを特徴とする。
【００１９】
本発明に係るキャビネットは、前記鈎部は、前記基部の両側に形成され、前記パネルモジュールに掛止する面積が大きい第１鉤部分と、前記パネルモジュールに掛止する面積が小さい第２鉤部分とを有することを特徴とする。
【００２０】
本発明に係るキャビネットは、前側に表示面を有するパネルモジュールと、該パネルモジュールの周縁部を取り囲むフロントキャビネットと、前記パネルモジュールの後側を覆うバックキャビネットと、前記パネルモジュールの周縁で引き回されているワイヤを保持するワイヤホルダとを備えたキャビネットにおいて、前記フロントキャビネットの内面から前記バックキャビネット側へ突出して前記パネルモジュールに掛止する掛止部を備え、前記ワイヤホルダは前記掛止部に一体形成されていることを特徴とする。
【００２１】
本発明に係るキャビネットは、前記掛止部は、前記フロントキャビネットの内面から前記バックキャビネット側へ突出した可撓性の板状の基部と、該基部の一面の先端に形成された鈎部とを有し、前記ワイヤホルダは、前記基部の他面に形成された突起部と、該突起部から前記基部の他面に対向するように前記バックキャビネット側へ突出したワイヤ保持爪とを備えることを特徴とする。
【００２２】
本発明に係るキャビネットは、前記鈎部は、前記基部の両側に形成され、前記パネルモジュールに掛止する面積が大きい第１鉤部分と、前記パネルモジュールに掛止する面積が小さい第２鉤部分と、前記ワイヤ保持爪に対向する箇所に形成された孔部とを有することを特徴とする。
【００２３】
本発明に係るキャビネットは、前記基部の他面から前記ワイヤ保持爪側へ突出し、ワイヤを補助的に保持する補助爪を備えることを特徴とする。
【００２４】
本発明に係るフロントキャビネット成形方法は、上述のフロントキャビネットを、前記掛止部の前記基部から前記鈎部が突出している側の面及び孔部を成形する第１金型と、他の部分を成形する第２金型とを有する射出成形用金型を用いて成形するフロントキャビネット成形方法であって、前記射出成形用金型から前記掛止部を離型する際、成形された掛止部から離型した前記第１金型の前記孔部に対応する凸部が前記第２鉤部分に掛からない位置まで、前記第１金型を移動させ、分離した第１金型及び第２金型の隙間から前記掛止部を引き落とすことを特徴とする。
【００２５】
本発明にあっては、掛止部によって、パネルモジュールと、フロントキャビネットとを固定することができる。また、掛止部に取り付けられたワイヤホルダで、パネルモジュール周縁のワイヤを保持することができる。ワイヤホルダは掛止部に設けられているため、省スペースでパネルモジュール及びフロントキャビネットの固定と、ワイヤの保持とを行うことができる。
【００２６】
本発明にあっては、ワイヤホルダは、掛止部に形成された孔部に挿嵌することによって、簡単に取り付けることができる。また、取付部を掛止部と同時に成形することが可能である。
【００２７】
本発明にあっては、鈎部を有する掛止部は、アンダーカットであるため、傾斜コアを用いて射出成形される。金型から掛止部を離型させる際、鉤部及び孔部から金型を外すために、傾斜コアを移動させる必要があるところ、鉤部に加えて、基部に孔部を形成するとなると、一般的に傾斜コアの移動量をさらに大きくする必要がある。傾斜コアの移動量を抑えるためには、鉤部の大きさを小さく、つまりパネルモジュールに鉤部が掛止する面積を小さくすれば良いが、掛かり量が小さくなり、パネルモジュールからフロントキャビネットが外れやすくなる。
そこで、本発明に掛かる掛止部の鉤部は、前記基部の両側に形成され、前記パネルモジュールに掛止する面積が大きい第１鉤部分と、前記パネルモジュールに掛止する面積が小さい第２鉤部分とを有する。パネルモジュールに掛止する面積が小さい第２鉤部分を有しているため、掛止部を離型させる際に傾斜コアを移動させる量を小さくすることができる。また、パネルモジュールに掛止する面積が大きい第１鉤部分を有しているため、パネルモジュールに対するフロントキャビネットの掛かり量を担保し、パネルモジュールからフロントキャビネットが簡単に外れてしまう事態を回避することができる。
【００２８】
本発明にあっては、ワイヤホルダは、取付部の孔部に挿入される軸部及び該軸部に比べて大寸法の板部を有し、取付部に挿嵌される挿嵌部を備えている。基部は、取付部にワイヤホルダが挿嵌された状態で板部及び基部が略面一になるように形成されているため、基部に挿嵌した挿嵌部と、パネルモジュールとが干渉し、パネルモジュールから掛止部が外れる方向の力が働くことは無い。
【００２９】
本発明にあっては、掛止部に一体形成されたワイヤホルダで、パネルモジュール周縁のワイヤを保持することができる。ワイヤホルダは掛止部に設けられているため、省スペースでパネルモジュール及びフロントキャビネットの固定と、ワイヤの保持とを行うことができる。
【００３０】
本発明にあっては、掛止部を構成する基部の他面の突起部から突出したワイヤ保持爪と、前記基部の他面との間にワイヤが保持される。
【００３１】
本発明にあっては、ワイヤホルダが一体形成された掛止部に第１及び第２鉤部分、並びに孔部を備えた場合の作用は、上述の通りである。
【００３２】
本発明にあっては、掛止部の基部に設けられた補助爪によってワイヤをより確実に保持することが可能である。
【００３３】
本発明にあっては、テレビジョン放送を受信し放送することができる。
【発明の効果】
【００３４】
本発明によれば、従来の液晶テレビに比べて、より狭いスペースで、パネルモジュールの固定構造及びワイヤ保持構造を共存させることができ、映像表示装置の狭額縁化を図りつつ、多機能化により増大したワイヤを保持することができる。
【図面の簡単な説明】
【００３５】
【図１】本発明の実施の形態１に係る映像表示装置の一構成例を示す正面側の分解斜視図である。
【図２】映像表示装置の要部を示す拡大側断面図である。
【図３】可撓性爪部及びワイヤホルダの分解斜視図である。
【図４】ワイヤホルダが取り付けられた可撓性爪部の斜視図である。
【図５】ワイヤホルダが取り付けられた可撓性爪部の背面図である。
【図６】ワイヤホルダが取り外された可撓性爪部の斜視図である。
【図７】ワイヤホルダが取り外された可撓性爪部の正面図、側面図、背面図及び平面図である。
【図８】ワイヤホルダが取り外された可撓性爪部の平断面図である。
【図９】可撓性爪部の成形方法を模式的に示した説明図である。
【図１０】可撓性爪部の成形方法を模式的に示した説明図である。
【図１１】ワイヤを保持した可撓性爪部の斜視図である。
【図１２】ワイヤを外した状態にある可撓性爪部の斜視図である。
【図１３】可撓性爪部の正面図、側面図、背面図及び平面図である。
【図１４】可撓性爪部の側断面図である。
【発明を実施するための形態】
【００３６】
以下、本発明をその実施の形態を示す図面に基づいて詳述する。
（実施の形態１）
図１は、本発明の実施の形態１に係る映像表示装置の一構成例を示す正面側の分解斜視図、図２は、映像表示装置の要部を示す拡大側断面図である。本実施の形態１に係る映像表示装置は、例えば、液晶テレビなどのテレビ受像機である。映像表示装置は、前側に表示面１１ａを有するパネルモジュール１と、パネルモジュール１の周縁部を取り囲むフロントキャビネット２と、パネルモジュール１の後側を覆うバックキャビネット３と、ワイヤホルダ４と、映像信号を受信するチューナ５（受信部）と、電気回路６と、パネルモジュール１を起立状態で支持するスタンド７と、スピーカ８とを備える。
【００３７】
パネルモジュール１は、図２に示すように、前側に表示面を有する横長略矩形状の液晶パネル１１と、液晶パネル１１の後面側に配置された図示しない光学シートと、該光学シートの後面側に配置されたバックライト装置１２と、液晶パネル１１及びバックライト装置１２を一体的に保持する保持枠体１３とを備える。バックライト装置１２は、平皿状のバックライトシャーシ、バックライトシャーシに配された反射シート及び複数の光源を有する。光源は、例えば、ＬＥＤ、冷陰極蛍光管である。また、パネルモジュール１は、パネルモジュール１と、バックキャビネット３とをネジ止めするためのネジ孔が後面側に形成されている。液晶パネル１１は、チューナ５で受信及び選局された映像信号に係る映像を表示する。
【００３８】
チューナ５及び電気回路６は、バックライト装置１２を構成するバックライトシャーシの背面側に取り付けられている。チューナ５は、図示しない復調部を備えており、アンテナから入力した信号より選択された特定チャンネルの信号を、ＭＰＥＧ２ＴＳ（Transport Stream）形式のストリームデータに復調し、復調したストリームデータを電気回路６に与える。ＴＳ形式のストリームデータは、複数のパケットから構成されており、電気回路６は、複数のパケットから、時系列順の映像信号及び音声信号を復元し、復元した映像信号をそれぞれ液晶パネル１１及びスピーカ８に与える。
【００３９】
スピーカ８は、フロントキャビネット２の下部に固定されており、該スピーカ８から伸びるワイヤ８ａはパネルモジュール１の周縁に引き回され、電気回路６に接続されている。スピーカ８は、電気回路６から出力された音声信号を増幅し、該音声信号に係る音声を出力する。
【００４０】
フロントキャビネット２は、パネルモジュール１の表示面側の周縁を覆う枠板部２１と、該枠板部２１の外周縁から後方へ連なり、パネルモジュール１の外周を覆う前筒部２２とを有する。枠板部２１の後面には、図１及び図２に示すように、フロントキャビネット２の内面から前記バックキャビネット３側へ突出して前記パネルモジュール１に掛止する可撓性爪部２３、２４が設けられている。可撓性爪部２３、２４は、図１に示すように、フロントキャビネット２の横方向両側及び上下にそれぞれ複数設けられている。可撓性爪部２４の数は、映像表示装置の大きさによって適宜決定される。特に、一部の可撓性爪部２４、例えば、フロントキャビネット２の横方向両側及び下部に形成された可撓性爪部（掛止部）２４は、ワイヤホルダ４が取り付けられるように構成されている。なお、ワイヤホルダ４の取り付けが可能な可撓性爪部２４を設ける位置として、フロントキャビネット２の横方向両側及び下部を例示したが、ワイヤを保持する必要がある電子部品の位置に応じて、適宜選択すれば良い。
【００４１】
バックキャビネット３は、パネルモジュール１の背面側を覆う皿形覆部３１と、皿形覆部３１の周縁に連なる後筒部３２とを有する。バックキャビネット３は、複数のネジ孔を有しており、該ネジ孔に挿入されたネジによって、パネルモジュール１にネジ止めされる。
【００４２】
図３は、可撓性爪部２４及びワイヤホルダ４の分解斜視図、図４は、ワイヤホルダ４が取り付けられた可撓性爪部２４の斜視図、図５は、ワイヤホルダ４が取り付けられた可撓性爪部２４の背面図、図６は、ワイヤホルダ４が取り外された可撓性爪部２４の斜視図、図７は、ワイヤホルダ４が取り外された可撓性爪部２４の正面図、側面図、背面図及び平面図、図８は、ワイヤホルダ４が取り外された可撓性爪部２４の平断面図である。なお、ここでは、第１及び第２鉤部２４ｂ，２４ｃの先端部及び基部２４ａが広く見える側を正面とする。
ワイヤホルダ４は、可撓性爪部２４に形成された後述する孔部２４ｄに挿嵌される挿嵌部４２を備える。挿嵌部４２は円柱状の軸部４２ａを有する。軸部４２ａの一端側には可撓性爪部２４にワイヤホルダ４を係止するための係止板部（板部）４２ｂが形成されている。係止板部４２ｂは、軸部４２ａに対して略垂直な矩形板状であり、短辺は軸部４２ａの直径に比べて小さく、長辺が軸部４２ａの直径に比べて大きく形成されている。軸部４２ａの他端側には、ワイヤ８ａを保持するワイヤ保持環（保持部）４１が設けられている。ワイヤ保持環４１は、角部が湾曲した四角形状であり、ワイヤ８ａを挿通させるために開閉可能な口部４１ａを有する。また、ワイヤ保持環４１の根本部分には、孔部４２ｄに嵌り、ワイヤホルダ４を挿嵌状態で保持する力を付与する付勢部４２ｃが設けられている。付勢部４２ｃは、長手方向を有し、係止板部４２ｂのそれと直交するように形成されている。
【００４３】
可撓性爪部２４は、フロントキャビネット２の内面からバックキャビネット３側へ突出した可撓性の板状の基部２４ａと、基部２４ａの先端に形成された第１及び第２鉤部２４ｂ，２４ｃとを有する。第１基部２４ａは、映像表示装置の背面視で、枠板部２１の周縁に沿った線状をなす。第１鉤部分２４ｂは、表示面の面内方向内側に傾斜面を有し、第１鉤部分２４ｂの面内方向外側は平坦である。第１鈎部分２４ｂは、基部２４ａの両側に形成され、パネルモジュール１に掛止する面積が大きく、第２鉤部分２４ｃは、パネルモジュール１に掛止する面積が小さく構成されている。つまり、基部２４ａからの突出量が第１鉤部分２４ｂは大きく、第２鉤部分２４ｃは小さい。基部２４ａの適宜箇所、例えば基部２４ａの鉤部寄り側部分には、ワイヤホルダ４を取り付けるための取付部、具体的には孔部２４ｄが形成されている。図３、図７Ｃに示すように、可撓性爪部２４の孔部２４ｄは、ワイヤホルダ４の軸部４２ａ及び係止板部４２ｂに倣って形成されている。図３に示すように、ワイヤホルダ４の係止板部４２ｂを、可撓性爪部２４の孔部２４ｄに合わせて挿入することで、背面側からワイヤホルダ４を挿入することができる。
また、可撓性爪部２４は、基部２４ａを挿通した係止板部４２ｂが、正面側に嵌り込む凹部２４ｅを有する。凹部２４ｅは、正面視が略矩形であり、可撓性爪部２４に挿入したワイヤホルダ４を軸部４２ａ回りに回転させた場合に、係止板部４２ｂが凹部２４ｅの縁に干渉しないような大きさで形成されている。また、凹部２４ｅの奥行きは、係止板部４２ｂの厚みと略同一であり、可撓性爪部２４にワイヤホルダ４が挿嵌した状態で、係止板部４２ｂと、基部２４ａとが面一になるようになっている。
【００４４】
このように構成された可撓性爪部２４によれば、図３に示すように、ワイヤホルダ４の係止板部４２ｂを、可撓性爪部２４の孔部２４ｄに合わせて挿入することで、背面側からワイヤホルダ４を挿入することができ、挿入後、ワイヤホルダ４を略９０度回転させることによって、孔部２４ｄの長手方向と、係止板部４２ｂの長手方向とが略垂直となり、可撓性爪部２４からワイヤホルダ４が外れないような状態になる。また、このとき、基部２４ａの孔部２４ｄに、付勢部４２ｃが背面側から嵌り込み、可撓性爪部２４は、係止板部４２ｂと、付勢部４２ｃとによって挟みこまれた状態になり、ワイヤホルダ４は可撓性爪部２４に固定される。
【００４５】
次に、フロントキャビネット２の成形方法を説明する。図９及び図１０は、可撓性爪部２４の成形方法を模式的に示した説明図である。フロントキャビネット２は、分離可能な複数の金型からなる射出成形用金型を用いて成形される。特に可撓性爪部２４を成形する部分は、例えば、可撓性爪部２４の基部２４ａから第１及び第２鈎部２４ｂ，２４ｃが突出している側の面及び孔部２４ｄを成形する第１金型９１と、他の部分を成形する第２金型９２と、フロントキャビネット２の枠板部２１を成形する第３金型９３とで成形される。可撓性爪部２４は、第１及び第２鉤部分２４ｂ，２４ｃ及び凹部２４ｅがアンダーカットであるため、第１金型９１を傾斜コアとする。
まず、図９Ａのように第１乃至第３金型９１、９２、９３を接合し、フロントキャビネット２を射出成形する。次いで、第１乃至第３金型９１、９２、９３を分離する。第１金型９１は、図９Ｂに示すように、第２金型９２及び第３金型９３に対して斜め方向に移動しながら離れ、可撓性爪部２４の第１及び第２鉤部分２４ｂ，２４ｃ及び孔部２４ｄが離型する。第１金型９１の移動量は、図１０Ａ及びＢに示すように、成形された可撓性爪部２４を、第１金型９１及び第２金型９２の間から下方へ引き落とす際、可撓性爪部２４の孔部２４ｄに対応する凸部９１ａが、可撓性爪部２４の第２鉤部分２４ｃに引っ掛からず、第２鉤部分２４ｃを通り抜けることができる位置まで移動するように設計すると良い。図１０に示す位置まで第１金型９１が移動すると、可撓性爪部２４は、第１金型９１及び第２金型９２の隙間から引き落とされる。
【００４６】
このように構成された映像表示装置にあっては、従来の液晶テレビに比べて、より狭いスペースで、パネルモジュール１の固定構造及びワイヤ８ａの保持構造を共存させることができ、映像表示装置の狭額縁化を図りつつ、多機能化により増大したワイヤ８ａを保持することができる。
【００４７】
また、ワイヤホルダ４は、可撓性爪部２４に形成された孔部２４ｄに挿入し、回転させることで、簡単に取り付けることができる。
【００４８】
更に、ワイヤホルダ４を可撓性爪部２４に挿嵌するための構造物は、基本的に、可撓性爪部２４に形成された孔部２４ｄであるため、ワイヤホルダ４を取り付けるための取付部と、可撓性爪部２４とを同時に低コストで成形することができる。
【００４９】
更にまた、可撓性爪部２４にワイヤホルダ４が挿嵌した状態で、可撓性爪部２４の凹部２４ｅに、ワイヤホルダ４の係止板部４２ｂが嵌り込み、係止板部４２ｂと、基部２４ａとが面一になる。従って、可撓性爪部２４に挿嵌したワイヤホルダ４の係止板部４２ｂと、パネルモジュール１とが干渉することは無く、フロントキャビネット２をパネルモジュール１に確実に取り付けることができる。
【００５０】
更にまた、第１及び第２鉤部分２４ｂ，２４ｃは、パネルモジュール１に掛止する面積が大きい第１鉤部分２４ｂと、パネルモジュール１に掛止する面積が小さい第２鉤部分２４ｃとで構成されている。
第１乃至第３金型９１、９２、９３から可撓性爪部２４を離型させる際、第１及び第２鉤部２４ｂ，２４ｃ並びに孔部２４ｄから第１金型９１を外すために、該第１金型９１を移動させる必要があるが、掛かり量が小さい第２鉤部分２４ｃを有しているため、この部分を通して可撓性爪部２４が下方へ引き落とすことができ、第１金型９１の移動量を小さくすることができる。一方、パネルモジュール１に対する掛かり量を担保する第２鉤部分２４ｃを有しているため、離型時における第１金型９１の移動量を小さくしても、パネルモジュール１からフロントキャビネット２が外れやすくなることは無く、フロントキャビネット２を確実にパネルモジュール１に取り付けることができる。
【００５１】
本実施の形態１では、映像表示装置の一例として液晶テレビを説明したが、いうまでも無く、プラズマ表示装置、ＥＬディスプレイ等の映像表示装置に本発明を適用しても良い。また、チューナ５を備えていない映像表示装置、例えばパーソナルコンピュータ用のディスプレイに本発明を適用しても良い。
【００５２】
（実施の形態２）
実施の形態２に係る映像表示装置は、可撓性爪部の基部にワイヤホルダが一体的に形成されている点が実施の形態１と異なる。以下では主に上記相異点について説明する。
図１１は、ワイヤを保持した可撓性爪部の斜視図、図１２は、ワイヤを外した状態にある可撓性爪部の斜視図、図１３は、可撓性爪部の正面図、側面図、背面図及び平面図、図１４は、可撓性爪部の側断面図である。なお、ここでは、第１及び第２鉤部の先端部及び基部が広く見える側を正面とする。
【００５３】
可撓性爪部１２４は、フロントキャビネット２の内面からバックキャビネット３側へ突出した可撓性の板状の基部１２４ａと、基部１２４ａの先端に形成された第１及び第２鉤部１２４ｂ，１２４ｃとを有する。基部１２４ａ、第１及び第２鈎部１２４ｂ，１２４ｃの構成は実施の形態１と同様である。基部１２４ａの背面側の根本には、基部１２４ａを補強するための補強板１２４ｆが設けられている。補強板１２４ｆは側面視略三角形状であり、その一辺は基部１２４ａの背面に接続し、他辺はフロントキャビネット２の枠板部２１に接続している。
【００５４】
可撓性爪部１２４にはワイヤホルダ１０４が一体形成されている。ワイヤホルダ１０４は、可撓性爪部１２４の基部１２４ａの背面側に形成された突起部１４１を有する。突起部１４１は平面視が凸形状の柱状であり、基部１２４ａの根本部分に形成されている。突起部１４１の先端、即ちバックキャビネット側の面から、前記基部１２４ａの他面に対向するように、バックキャビネット側へワイヤ保持爪１４２が突出している。詳細には、ワイヤ保持爪１４２は、可撓性板部１４２ａと、該可撓性板部１４２ａの先端部に形成されたワイヤ保持鈎部１４２ｂとを有する。可撓性板部１４２ａは、基部１２４ａに対して略垂直であり、基部１２４ａから離隔している。また、可撓性板部１４２ａは可撓性爪部１２４より背が低くなるように形成されている。ワイヤ保持鈎部１４２ｂは可撓性爪部１２４の基部１２４ａ側に形成されている。
更に、可撓性爪部１２４の基部１２４ａには、ワイヤ保持爪１４２の可撓性板部１４２ａに対向する箇所に孔部１２４ｄを有する。孔部１２４ｄの形状は例えば矩形状である。該孔部１２４ｄは、後述するように、可撓性爪部１２４の第１及び第２鈎部１２４ｂ，１２４ｃと共に、ワイヤ保持爪１４２を傾斜コアで成型する過程で形成されたものである。また、ワイヤ８ａを補助的に保持する補助爪１４３が、可撓性爪部１２４の基部１２４ａの他面からワイヤ保持爪１４２側へ突出している。補助爪１４３は、該補助爪１４３と、ワイヤ保持爪１４２との対向方向から見て、各爪が重ならないような位置に形成されている。また、補助爪１４３の突出長さと、ワイヤ保持鈎部１４２ｂの突出長との和は、基部１２４ａと、可撓性板部１４２ａとの距離よりも長くなるように構成されている。つまり、ワイヤ８ａを可撓性爪部１２４の基部１２４ａと、ワイヤ保持爪１４２との間に挿入する際、ワイヤ８ａを曲げるか、可撓性爪部１２４及びワイヤ保持爪１４２を撓まさなければ、ワイヤ８ａが補助爪１４３と、ワイヤ保持鈎部１４２ｂとの間を通過できないような位置関係になるように構成されている。言い換えると、基部１２４ａと、ワイヤ保持爪１４２との間に保持されたワイヤ８ａは外れにくいように構成されている。
【００５５】
次に、実施の形態２に係るフロントキャビネット２の成形方法を説明する。フロントキャビネット２の成型方法は基本的には実施の形態１と同様である。フロントキャビネット２は、分離可能な複数の金型からなる射出成形用金型を用いて成形される。特に可撓性爪部１２４を成形する部分は、例えば、可撓性爪部１２４の基部１２４ａから第１及び第２鈎部１２４ｂ，１２４ｃが突出している側の面及び孔部１２４ｄを成形する第１金型と、他の部分を成形する第２金型と、フロントキャビネット２の枠板部２１を成形する第３金型とで成形される。可撓性爪部１２４は、第１及び第２鉤部分１２４ｂ，１２４ｃ及びワイヤ保持鉤部１４２ｂがアンダーカットであるため、第１金型を傾斜コアとする。
まず、第１乃至第３金型を接合し、フロントキャビネット２を射出成形する。次いで、第１乃至第３金型を分離する。第１金型は、第２金型及び第３金型に対して斜め方向に移動しながら離れ、可撓性爪部１２４の第１及び第２鉤部分１２４ｂ，１２４ｃ及び孔部１２４ｄが離型する。第１金型の移動量は、成形された可撓性爪部１２４を、第１金型及び第２金型の間から下方へ引き落とす際、可撓性爪部１２４の孔部１２４ｄ及びワイヤ保持鈎部１４２ｂに対応する凸部が、可撓性爪部１２４の第２鉤部分１２４ｃに引っ掛からず、第２鉤部分１２４ｃを通り抜けることができる位置まで移動するように設計すると良い。所定位置まで第１金型が移動すると、可撓性爪部１２４は、第１金型及び第２金型の隙間から引き落とされる。
【００５６】
このように構成された映像表示装置にあっては、従来の液晶テレビに比べて、より狭いスペースで、パネルモジュール１の固定構造及びワイヤ８ａの保持構造を共存させることができ、映像表示装置の狭額縁化を図りつつ、多機能化により増大したワイヤ８ａを保持することができる。
【００５７】
更に、可撓性爪部１２４及びワイヤ保持爪１４２を同時に低コストで一体成形することができる。
【００５８】
更にまた、第１及び第２鉤部分１２４ｂ，１２４ｃは、パネルモジュール１に掛止する面積が大きい第１鉤部分１２４ｂと、パネルモジュール１に掛止する面積が小さい第２鉤部分１２４ｃとで構成されている。
第１乃至第３金型から可撓性爪部１２４を離型させる際、第１及び第２鉤部１２４ｂ，１２４ｃ並びに孔部１２４ｄから第１金型を外すために、該第１金型を移動させる必要があるが、掛かり量が小さい第２鉤部分１２４ｃを有しているため、この部分を通して可撓性爪部１２４を下方へ引き落とすことができ、第１金型の移動量を小さくすることができる。一方、パネルモジュール１に対する掛かり量を担保する第２鉤部分１２４ｃを有しているため、離型時における第１金型の移動量を小さくしても、パネルモジュール１からフロントキャビネット２が外れやすくなることは無く、フロントキャビネット２を確実にパネルモジュール１に取り付けることができる。
【００５９】
なお、今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００６０】
１  パネルモジュール
２  フロントキャビネット
３  バックキャビネット
４  ワイヤホルダ
５  チューナ
６  電気回路
７  スタンド
８  スピーカ
８ａ  ワイヤ
１１ａ  表示面
２４，１２４  可撓性爪部
２４ａ，１２４ａ  基部
２４ｂ，１２４ｂ  第１鉤部分
２４ｃ，１２４ｃ  第２鉤部分
２４ｄ，１２４ｄ  孔部
２４ｅ  凹部
４１  ワイヤ保持環
４１ａ  口部
４２  挿嵌部
４２ａ  軸部
４２ｂ  係止板部
４２ｃ  付勢部
９１  第１金型
９２  第２金型
９３  第３金型
９１ａ  凸部
１０４  ワイヤホルダ
１４１  突起部
１４２  ワイヤ保持爪
１４２ａ  可撓性板部
１４２ｂ  ワイヤ保持鈎部
１４３  補助爪
１２４ｆ  補強板
【図１】
2012226312.tif 000003
【図２】
2012226312.tif 000004
【図３】
2012226312.tif 000005
【図４】
2012226312.tif 000006
【図５】
2012226312.tif 000007
【図６】
2012226312.tif 000008
【図７】
2012226312.tif 000009
【図８】
2012226312.tif 000010
【図９】
2012226312.tif 000011
【図１０】
2012226312.tif 000012
【図１１】
2012226312.tif 000013
【図１２】
2012226312.tif 000014
【図１３】
2012226312.tif 000015
【図１４】
2012226312.tif 000016